(57)【要約】【課題】モスキートノイズの低減処理を従来よりも高速化させることが可能な信号処理装置を提供する。【解決手段】モスキートノイズ低減部１４において、エッジ検出部１４１によるエッジ検出処理、分散値算出部１４２による分散値算出処理、および差分値算出部１４３による差分値算出処理の３つの処理を並列して行う。また、これらの検出結果および算出結果を基に、水平方向モスキートノイズ検出部１４４および垂直方向モスキートノイズ検出部１４５において、画像データＤinにおけるモスキートノイズが含まれる画素領域の判定処理を行う。これにより、従来のように、エッジ検出処理を含む複数の処理を逐次的に行うことによってモスキートノイズが含まれる画素領域を判定する場合と比べ、ノイズ低減処理全体としての遅延段数が減少し、低遅延でのノイズ低減処理が実現される。【選択図】図１
2009225299.tif 000002
【特許請求の範囲】
【請求項１】
画像信号からエッジを検出するエッジ検出処理と、前記画像信号を構成する画素ごとに、注目画素およびその周辺画素からなる画素領域における画素値の散らばりの度合いを表す分散値を算出する分散値算出処理と、前記画素ごとに、前記画素領域における最大画素値と最小画素値との差分値を算出する差分値算出処理と、のうちの少なくとも２つの処理を並列して行うことにより、前記画像信号においてノイズが含まれる画素領域の判定処理を行う判定手段と、
前記判定手段による判定結果に基づいて、前記画像信号に含まれるノイズを低減させるノイズ低減手段と
を備えたことを特徴とする信号処理装置。
【請求項２】
前記判定手段は、前記判定処理を、前記画像信号に基づく画像における水平方向および垂直方向のそれぞれに沿って、互いに独立して行う
ことを特徴とする請求項１に記載の信号処理装置。
【請求項３】
前記判定手段は、前記エッジ検出処理および前記差分値算出処理の２つの処理を並列して行うことにより、前記水平方向に沿った判定処理を行う
ことを特徴とする請求項２に記載の信号処理装置。
【請求項４】
前記判定手段は、前記エッジ検出処理および前記分散値算出処理の２つの処理を並列して行うことにより、前記水平方向に沿った判定処理を行う
ことを特徴とする請求項２に記載の信号処理装置。
【請求項５】
前記判定手段は、前記エッジ検出処理、前記分散値算出処理および前記差分値算出処理の３つの処理を並列して行うことにより、前記水平方向に沿った判定処理を行う
ことを特徴とする請求項２に記載の信号処理装置。
【請求項６】
前記判定手段は、前記分散値算出処理および前記差分値算出処理の２つの処理を並列して行うことにより、前記垂直方向に沿った判定処理を行う
ことを特徴とする請求項２に記載の信号処理装置。
【請求項７】
前記判定手段は、前記エッジ検出処理、前記分散値算出処理および前記差分値算出処理の３つの処理を並列して行うことにより、前記垂直方向に沿った判定処理を行う
ことを特徴とする請求項２に記載の信号処理装置。
【請求項８】
前記判定手段は、前記エッジ検出処理、前記分散値算出処理および前記差分値算出処理の３つの処理を並列して行うことにより、前記水平方向に沿った判定処理および前記垂直方向に沿った判定処理を行う
ことを特徴とする請求項２に記載の信号処理装置。
【請求項９】
画像信号からエッジを検出するエッジ検出処理と、前記画像信号を構成する画素ごとに、注目画素およびその周辺画素からなる画素領域における画素値の散らばりの度合いを表す分散値を算出する分散値算出処理と、前記画素ごとに、前記画素領域における最大画素値と最小画素値との差分値を算出する差分値算出処理と、のうちの少なくとも２つの処理を並列して行うことにより、前記画像信号においてノイズが含まれる画素領域の判定処理を行う判定手段と、
前記判定手段による判定結果に基づいて、前記画像信号に含まれるノイズを低減させるノイズ低減手段と、
前記ノイズ低減手段によるノイズ低減後の画像信号に基づいて画像表示を行う表示手段と
を備えたことを特徴とする画像表示装置。
【請求項１０】
所定の記録媒体に記録された画像信号の再生を行う再生手段と、
前記再生手段により再生された画像信号からエッジを検出するエッジ検出処理と、前記画像信号を構成する画素ごとに、注目画素およびその周辺画素からなる画素領域における画素値の散らばりの度合いを表す分散値を算出する分散値算出処理と、前記画素ごとに、前記画素領域における最大画素値と最小画素値との差分値を算出する差分値算出処理と、のうちの少なくとも２つの処理を並列して行うことにより、前記画像信号においてノイズが含まれる画素領域の判定処理を行う判定手段と、
前記判定手段による判定結果に基づいて、前記画像信号に含まれるノイズを低減させるノイズ低減手段と
を備えたことを特徴とする再生装置。
【請求項１１】
外部から送信された画像信号を受信する受信手段と、
前記受信手段により受信された画像信号からエッジを検出するエッジ検出処理と、前記画像信号を構成する画素ごとに、注目画素およびその周辺画素からなる画素領域における画素値の散らばりの度合いを表す分散値を算出する分散値算出処理と、前記画素ごとに、前記画素領域における最大画素値と最小画素値との差分値を算出する差分値算出処理と、のうちの少なくとも２つの処理を並列して行うことにより、前記画像信号においてノイズが含まれる画素領域の判定処理を行う判定手段と、
前記判定手段による判定結果に基づいて、前記画像信号に含まれるノイズを低減させるノイズ低減手段と
を備えたことを特徴とする受信装置。
【発明の詳細な説明】
【技術分野】
【０００１】
本発明は、画像信号に含まれるモスキートノイズを低減する信号処理装置、ならびにそのような信号処理装置を備えた画像表示装置、再生装置および受信装置に関する。
【背景技術】
【０００２】
画像データを圧縮するＭＰＥＧ（Moving Picture Experts Group）などの圧縮方式では、画像データを圧縮するエンコーダは、画像データをブロック化すると共に、各ブロックに対し、ＤＣＴ（Discrete Cosine Transform）処理を行い、高周波成分の係数を０に置き換えることによって圧縮を行う。そのため、デコーダによって、ＭＰＥＧ方式でエンコードされた画像データのデコードを行うと、失われた高周波成分の係数に起因し、さらに、ＤＣＴ係数の量子化誤差に起因して、画像の高周波成分が失われるため、デコードされた画像データでは、原理的に、画像のエッジの周辺部分にモスキートノイズが発生する。このようにモスキートノイズは、デジタル画像圧縮においてエッジや色変化の激しい部分で発生するノイズである。
【０００３】
例えば、図２０に示した画像では、右側の図２０（Ｂ）（左側の図２０（Ａ）中の符号Ｐ１０１部分の拡大図）におけるエッジ近傍に、モスキートノイズが発生してしまっている。この図から分かるように、モスキートノイズは、背景が平坦（特徴があまり無い）であるエッジ近傍において、微小にばらついているノイズであると言える。
【０００４】
ここで、そのようなモスキートノイズを除去するには、画像からエッジ部を検出する必要がある。そこで従来より、画像からエッジ部を検出することにより、モスキートノイズを低減するようにしたものがいくつか提案されている（例えば、特許文献１）。
【０００５】
【特許文献１】特開２００４−３３６６５１号公報
【発明の開示】
【発明が解決しようとする課題】
【０００６】
ここで、上記特許文献１等の従来手法では、画像信号に含まれるモスキートノイズを検出する際に、画像信号からエッジを検出し、その検出結果を表すエッジ検出信号を出力するエッジ検出手段と、エッジ検出信号を平滑化する平滑化手段と、平滑化手段において平滑化されたエッジ検出信号の変化量を求め、その変化量を、画像信号におけるエッジの程度を表すエッジ信号として出力する、といったように、逐次的に処理がなされている。このため、ノイズ除去処理を行うブロックまで、入力された画像信号を保持する必要があった。したがって、ノイズ低減処理全体としての遅延段数が増加してしまうという問題点があり、改善の余地があった。
【０００７】
本発明はかかる問題点に鑑みてなされたもので、その目的は、モスキートノイズの低減処理を従来よりも高速化させることが可能な信号処理装置、ならびにそのような信号処理装置を備えた画像表示装置、再生装置および受信装置を提供することにある。
【課題を解決するための手段】
【０００８】
本発明の信号処理装置は、画像信号からエッジを検出するエッジ検出処理と、上記画像信号を構成する画素ごとに、注目画素およびその周辺画素からなる画素領域における画素値の散らばりの度合いを表す分散値を算出する分散値算出処理と、上記画素ごとに、上記画素領域における最大画素値と最小画素値との差分値を算出する差分値算出処理と、のうちの少なくとも２つの処理を並列して行うことにより、上記画像信号においてノイズが含まれる画素領域の判定処理を行う判定手段と、この判定手段による判定結果に基づいて、上記画像信号に含まれるノイズを低減させるノイズ低減手段とを備えたものである。
【０００９】
本発明の画像表示装置は、上記判定手段と、上記ノイズ低減手段と、このノイズ低減手段によるノイズ低減後の画像信号に基づいて画像表示を行う表示手段とを備えたものである。
【００１０】
本発明の再生装置は、所定の記録媒体に記録された画像信号の再生を行う再生手段と、この再生手段により再生された画像信号において、ノイズが含まれる画素領域の判定処理を行う判定手段と、この判定手段による判定結果に基づいて、上記画像信号に含まれるノイズを低減させるノイズ低減手段とを備えたものである。
【００１１】
本発明の受信装置は、外部から送信された画像信号を受信する受信手段と、この受信手段により受信された画像信号において、ノイズが含まれる画素領域の判定処理を行う判定手段と、この判定手段による判定結果に基づいて、上記画像信号に含まれるノイズを低減させるノイズ低減手段とを備えたものである。
【００１２】
本発明の信号処理装置、画像表示装置、再生装置および受信装置では、上記エッジ検出処理、上記分散値算出処理および上記差分値算出処理のうちの少なくとも２つの処理が並列してなされることにより、画像信号においてノイズが含まれる画素領域の判定処理が行われる。そしてその判定結果に基づいて、画像信号に含まれるノイズが低減される。したがって、従来のように、エッジ検出処理を含む複数の処理を逐次的に行うことによってノイズが含まれる画素領域を判定する場合と比べ、ノイズ低減処理全体としての遅延段数が減少し、低遅延でのノイズ低減処理が実現される。
【発明の効果】
【００１３】
本発明の信号処理装置、画像表示装置、再生装置または受信装置によれば、上記エッジ検出処理、上記分散値算出処理および上記差分値算出処理のうちの少なくとも２つの処理を並列して行うことによって、画像信号においてノイズが含まれる画素領域の判定処理を行うようにしたので、従来と比べ、低遅延でのノイズ除去処理を実現することができる。よって、モスキートノイズの低減処理を、従来よりも高速化させることが可能となる。
【発明を実施するための最良の形態】
【００１４】
以下、本発明の実施の形態について、図面を参照して詳細に説明する。
【００１５】
図１は、本発明の一実施の形態に係る画像表示装置（ＴＶ（TeleVision）装置１）の全体構成を表すものである。このＴＶ装置１は、アンテナ１１と、チューナ１２と、デコーダ１３と、本発明の一実施の形態に係る信号処理装置（モスキートノイズ低減部１４）と、画像処理部１５と、表示部１６とを備えている。
【００１６】
アンテナ１１は、テレビ信号を受信するものである。また、チューナ１２は、受信されたテレビ信号を復調し、エンコードされたデジタル映像信号として出力するものである。
【００１７】
デコーダ１３は、入力した上記デジタル映像信号に対して所定のデコード処理（例えば、ＭＰＥＧデコード処理などのデコード処理）を行うことにより、画像信号Ｄin（輝度信号）を生成し、出力するものである。
【００１８】
モスキートノイズ低減部１４は、デコーダ１３から入力される画像信号Ｄinに含まれるモスキートノイズの低減処理を行うことにより、そのモスキートノイズ低減後の画像信号Ｄout（輝度信号）を生成し、画像処理部１５へと出力するものである。なお、このモスキートノイズ低減部１４の詳細構成については、後述する。
【００１９】
画像処理部１５は、モスキートノイズ低減部１４から出力される画像データＤoutに対して所定の画像処理（例えば、デイインタレース処理、解像度変換処理、オーバードライブ処理など）を施すものである。
【００２０】
表示部１６は、画像処理部１５から出力される画像データに基づいて画像表示を行うものである。この表示部１６は、例えば、ＯＬＥＤ（Organic Light-emitting Diode）やＬＣＤ（Liquid Crystal Display）、ＰＤＰ（Plasma Display Panel）等により構成される。
【００２１】
次に、図１に加え、図２〜図７を参照して、モスキートノイズ低減部１４の構成について、詳細に説明する。
【００２２】
モスキートノイズ低減部１４は、図１に示したように、エッジ検出部１４１と、分散値算出部１４２と、差分値算出部１４３と、水平方向モスキートノイズ検出部１４４と、垂直方向モスキートノイズ検出部１４５と、モスキートノイズ低減フィルタ部１４６とを有している。そして以下説明するように、エッジ検出部１４１によるエッジ検出処理、分散値算出部１４２による分散値算出処理、および差分値算出部１４３による差分値算出処理の３つの処理を並列して行うことにより、水平方向モスキートノイズ検出部１４４および垂直方向モスキートノイズ検出部１４５において、画像データＤinに基づく画像における水平方向および垂直方向のそれぞれに沿って、モスキートノイズが含まれる画素領域の判定処理を互いに独立して行うようになっている。
【００２３】
エッジ検出部１４１は、例えば図２中の符号Ｐ１で示したように、画像の水平方向に沿って、入力された画像データＤinにおけるエッジを検出し、その検出結果を、水平方向モスキートノイズ検出部１４４および垂直方向モスキートノイズ検出部１４５へそれぞれ出力するものである。すなわち、背景が平坦（特徴があまり無い）かつエッジ近傍で微小にばらついているノイズのうち、エッジについて検出するものである。これは、モスキートノイズの特徴として、エッジ近傍で周辺がフラットな部分に出現することから、エッジの情報が必要となるためである。このようなエッジ検出部１４１としては、例えば、一次微分や二次微分などのエッジ検出装置を利用することができる。なお、本実施の形態では、例えば図２中の符号Ｐ２で示したような垂直方向に沿ったエッジ検出はなされないようになっており、これによりラインメモリが不要となっている。
【００２４】
図３は、エッジ検出部１４１によるエッジ検出動作について表したものであり、（Ａ）は水平方向に沿った画像信号Ｄin（画素値）を、（Ｂ）はエッジ検出信号（ＯＮ／ＯＦＦを表す信号）を、（Ｃ）はエッジマスク信号（ＯＮ／ＯＦＦを表す信号）を、（Ｄ）はエッジおよびエッジ近傍以外の画素領域を示す信号（ＯＮ／ＯＦＦを表す信号）を、それぞれ表している。なお、図３中の横軸は、水平方向の画素位置を表している。
【００２５】
このエッジ検出部１４１では、例えば図３（Ａ）に示した画像信号Ｄinが入力されると、図３（Ｂ）に示したように、そのエッジ部分（図中の画素位置Ｐ３２〜Ｐ３３，Ｐ３４〜Ｐ３５の部分）によってエッジ検出信号が生成され、それに基づき、図３（Ｃ）に示したように、エッジを含まない画素領域がエッジマスク信号として生成されると共に、図３（Ｄ）に示したようなエッジおよびエッジ近傍以外の画素領域を示す信号が生成される。そして、エッジマスク信号が水平方向モスキートノイズ検出部１４４へ出力されると共に、エッジおよびエッジ近傍以外の画素領域を示す信号が垂直方向モスキートノイズ検出部１４５へ出力される。
【００２６】
分散値算出部１４２は、入力された画像データＤinを構成する画素ごとに、注目画素およびその周辺画素からなる画素領域における画素値の散らばりの度合いを表す分散値を算出し、その算出結果を、水平方向モスキートノイズ検出部１４４および垂直方向モスキートノイズ検出部１４５へそれぞれ出力するものである。すなわち、背景が平坦（特徴があまり無い）かつエッジ近傍で微小にばらついているノイズのうち、ばらつきを検出するものであり、画像データがばらついている部分を検出することによって、モスキートノイズが視覚的に目立つ場所（例えば、図４中の符号Ｐ４で示したように、空のような特徴の無い部分に現れるモスキートノイズ）の特定を行うようになっている。
【００２７】
具体的には、分散値算出部１４２は、例えば以下の（１）式および（２）式で示したようにして、注目画素およびその周辺の複数画素からなる画素領域における画素値の分散値Ｙを算出している。なお、これらの式中において、Ｙは注目画素における分散値を、ＮはＹを求める際に使用する画素数を、ｘｉはｉ番目の画素の画素値を、ｘ−はＮ個の画素の画素値の平均を、それぞれ表している。このようにして算出された分散値Ｙは、水平方向モスキートノイズ検出部１４４および垂直方向モスキートノイズ検出部１４５へそれぞれ出力される。
【００２８】
【数１】
2009225299.tif 000003
【００２９】
差分値算出部１４３は、例えば図５に示したように、画素ごとに、注目画素およびその周辺の複数画素からなる画素領域における最大画素値（例えば、画素値Ｘn+3）と最小画素値（例えば、画素値Ｘn-2）との差分値（例えば、差分値Ｄiff＝Ｘn+3−Ｘn-2）を算出し、その算出結果（差分値）を、水平方向モスキートノイズ検出部１４４および垂直方向モスキートノイズ検出部１４５へそれぞれ出力するものである。すなわち、背景が平坦（特徴があまり無い）かつエッジ近傍で微小にばらついているノイズのうち、微小振幅を検出するものである。これは、微小振幅（モスキートノイズ）以外のデータのある部分（テクスチャー）などとの切り分けを行うためである。なお、図５中の横軸は水平方向の画素位置を、縦軸は画素値を、それぞれ表している。
【００３０】
水平方向モスキートノイズ検出部１４４は、互いに並列して出力される、エッジ検出部１４１でのエッジ検出処理の検出結果、分散値算出部１４２での分散値算出処理の算出結果、および差分値算出部１４３での差分値算出処理の算出結果に基づいて、画像データＤinに基づく画像における水平方向に沿って、モスキートノイズが含まれる画素領域の判定処理を行うものである。
【００３１】
図６は、水平方向モスキートノイズ検出部１４４によるモスキートノイズ検出動作について表したものであり、（Ａ）は水平方向に沿った画像信号Ｄin（画素値）を、（Ｂ）はエッジマスク信号（ＯＮ／ＯＦＦを表す信号）を、（Ｃ）は差分値信号に対して閾値処理を行った信号（ＯＮ／ＯＦＦを表す信号）を、（Ｄ）は分散値信号に対して閾値処理を行った信号（ＯＮ／ＯＦＦを表す信号）を、（Ｅ）は水平方向モスキートノイズ検出信号（ＯＮ／ＯＦＦを表す信号）を、それぞれ表している。なお、図６中の横軸は、水平方向の画素位置を表している。
【００３２】
この水平方向モスキートノイズ検出部１４４では、例えば図６（Ａ）に示したような画像信号Ｄinの場合において、図６（Ｂ）に示したようなエッジマスク信号がエッジ検出部１４１から入力され、図６（Ｃ）に示したような差分値信号が差分値算出部１４３から入力され、図６（Ｄ）に示したような分散値信号が入力されると、これら３つの信号を組み合わせる（例えば、論理積を取る）ことにより、例えば図６（Ｅ）に示したような、水平方向モスキートノイズ検出信号（図中の画素位置Ｐ５２〜Ｐ５３の部分）が生成され、モスキートノイズ低減フィルタ部１４６へ出力される。これにより、エッジ近傍で振動しており微小振幅という特徴を有するモスキートノイズの検出が可能となり、水平方向に現れるモスキートノイズの検出結果が、モスキートノイズ除去フィルタ部１４６へ出力されることになる。
【００３３】
垂直方向モスキートノイズ検出部１４５も同様に、互いに並列して出力される、エッジ検出部１４１でのエッジ検出処理の検出結果、分散値算出部１４２での分散値算出処理の算出結果、および差分値算出部１４３での差分値算出処理の算出結果に基づいて、画像データＤinに基づく画像における水平方向に沿って、モスキートノイズが含まれる画素領域の判定処理を行うものである。
【００３４】
図７は、垂直方向モスキートノイズ検出部１４５によるモスキートノイズ検出動作について表したものであり、（Ａ）は水平方向に沿った画像信号Ｄin（画素値）を、（Ｂ）はエッジおよびエッジ近傍以外の画素領域を示す信号（ＯＮ／ＯＦＦを表す信号）を、（Ｃ）は差分値信号に対して閾値処理を行った信号（ＯＮ／ＯＦＦを表す信号）を、（Ｄ）は分散値信号に対して閾値処理を行った信号（ＯＮ／ＯＦＦを表す信号）を、（Ｅ）は垂直方向モスキートノイズ検出信号（ＯＮ／ＯＦＦを表す信号）を、それぞれ表している。なお、図７中の横軸は、水平方向の画素位置を表している。
【００３５】
この垂直方向モスキートノイズ検出部１４５では、例えば図７（Ａ）に示したような画像信号Ｄinの場合において、図７（Ｂ）に示したようなエッジおよびエッジ近傍以外の画素領域を示す信号がエッジ検出部１４１から入力され、図７（Ｃ）に示したような差分値信号が差分値算出部１４３から入力され、図７（Ｄ）に示したような分散値信号が入力されると、これら３つの信号を組み合わせる（例えば、論理積を取る）ことにより、例えば図７（Ｅ）に示したような、垂直方向モスキートノイズ検出信号（図中の画素位置Ｐ６２〜Ｐ６３の部分）が生成され、モスキートノイズ低減フィルタ部１４６へ出力される。これにより、振動しており微小振幅という特徴を有するモスキートノイズの検出が可能となり、ラインメモリを使用することなく垂直方向に現れるモスキートノイズが検出され、モスキートノイズ除去フィルタ部１４６へ出力されることになる。
【００３６】
モスキートノイズ低減フィルタ部１４６は、水平方向モスキートノイズ検出部１４４および垂直方向モスキートノイズ検出部１４５によるモスキートノイズの検出結果（モスキートノイズが含まれる画素領域の判定結果）に基づいて、画像データＤinに含まれるノイズを低減させるフィルタ部である。具体的には、水平方向モスキートノイズ検出部１４４から出力される水平方向モスキートノイズの検出信号と、垂直方向モスキートノイズ検出部１４５から出力される垂直方向モスキートノイズ検出信号との論理和に基づいて、フィルタ処理を行う。この際、これらの検出信号がＯＦＦのとき（「Ｌ（ロー）」のとき）は、画像データＤinの原信号を用いると共に、これらの検出信号がＯＮのとき（「Ｈ（ハイ）」のとき）は、フィルタ処理を施したものを用いることにより、信号の切り替え処理を行っている。これにより、エッジ部分が画像データＤinの原信号に残ることで影響を受けず、エッジの形状を保持したフィルタリング結果が得られ、エッジの近傍に発生するモスキートノイズのみが低減（または除去）されることとなる。
【００３７】
ここで、エッジ検出部１４１、分散値算出部１４２、差分値算出部１４３、水平方向モスキートノイズ検出部１４４および垂直方向モスキートノイズ検出部１４５が、本発明における「判定手段」の一具体例に対応する。また、モスキートノイズ低減フィルタ部１４６が、本発明における「ノイズ低減手段」の一具体例に対応する。
【００３８】
次に、本実施の形態のＴＶ装置１の動作について詳細に説明する。
【００３９】
このＴＶ装置１では、アンテナ１１において外部から送信されたテレビ信号が受信され、チューナ１２においてそのテレビ信号が復調されてエンコードされたデジタル映像信号が生成され、そのデジタル映像信号がデコーダ１３においてデコード処理されることにより、画像データＤinが生成される。次に、この画像データＤinがモスキートノイズ低減部１４へ入力され、画像信号Ｄinに含まれるモスキートノイズの低減処理がなされることにより、モスキートノイズ低減後の画像信号Ｄoutが生成され、画像処理部１５へ出力される。そして、この画像処理部１５において、画像データＤoutに対する所定の画像処理が施され、表示部１６において、そのような画像処理後の画像データに基づく画像表示が行われる。
【００４０】
その際、本実施の形態のモスキートノイズ低減部１４では、エッジ検出部１４１によるエッジ検出処理、分散値算出部１４２による分散値算出処理、および差分値算出部１４３による差分値算出処理の３つの処理が並列してなされると共に、これらの検出結果および算出結果を基に、水平方向モスキートノイズ検出部１４４および垂直方向モスキートノイズ検出部１４５において、画像データＤinにおけるモスキートノイズが含まれる画素領域の判定処理がなされる。したがって、従来のように、エッジ検出処理を含む複数の処理を逐次的に行うことによってモスキートノイズが含まれる画素領域を判定する場合と比べ、ノイズ低減処理全体としての遅延段数が減少し、低遅延でのノイズ低減処理が実現される。
【００４１】
ここで、図８〜図１２は、本実施の形態のモスキートノイズ低減部１４によるモスキートノイズ低減処理の効果の例をいくつか示したものであり、各図において、（Ａ）はモスキートノイズ低減処理の実行前の画像を、（Ｂ）はモスキートノイズ低減処理の実行後の画像を、それぞれ表している。これら図８〜図１２により、本実施の形態のモスキートノイズ低減部１４によるモスキートノイズ低減処理によって、実際にモスキートノイズが低減または除去されていることが分かる。
【００４２】
以上のように本実施の形態では、モスキートノイズ低減部１４において、エッジ検出部１４１によるエッジ検出処理、分散値算出部１４２による分散値算出処理、および差分値算出部１４３による差分値算出処理の３つの処理を並列して行うと共に、これらの検出結果および算出結果を基に、水平方向モスキートノイズ検出部１４４および垂直方向モスキートノイズ検出部１４５において、画像データＤinにおけるモスキートノイズが含まれる画素領域の判定処理を行うようにしたので、従来と比べ、低遅延でのノイズ除去処理を実現することができる。よって、モスキートノイズの低減処理を、従来よりも高速化させることが可能となる。
【００４３】
また、エッジ検出部１４１、分散値算出部１４２および差分値算出部１４３の構成を、水平方向モスキートノイズ検出部１４４および垂直方向モスキートノイズ検出部１４５において共通化するようにしたので、水平方向および垂直方向のそれぞれに沿って、モスキートノイズが含まれる画素領域の判定処理を互いに独立して行いつつ、回路規模を縮小化することが可能となる。
【００４４】
また、垂直方向のモスキートノイズの検出において、従来の手法では、垂直方向にも同様なエッジ検出を行っていたため、ブロック単位またはライン単位で大量な画素値をメモリに記憶させる必要が生じ、回路規模の増大の原因となっていた。これに対し、本実施の形態のモスキートノイズ低減部１４では、垂直方向のモスキートノイズを平坦かつ微小に振動している信号として検出するようにしたので、メモリなどの記憶素子が不要となり、簡易的な回路での実現が可能となると共に、回路規模の縮小化も可能となる。
【００４５】
以上、実施の形態を挙げて本発明を説明したが、本発明はこの実施の形態に限定されるものではなく、種々の変形が可能である。
【００４６】
例えば、上記実施の形態では、エッジ検出部１４１によるエッジ検出処理、分散値算出部１４２による分散値算出処理、および差分値算出部１４３による差分値算出処理の３つの処理を並列して行うことにより、水平方向および垂直方向に沿った判定処理を行う場合について説明したが、例えば図１３に示したモスキートノイズ低減部１４Ａ（変形例１）のように、上記エッジ検出処理および上記差分値算出処理の２つの処理を並列して行うことにより、水平方向モスキートノイズ検出部１４４Ａにおいて、水平方向に沿った判定処理を行うようにしてもよい。このように構成した場合、エッジ近傍の微小振幅な信号のみを検出すると共にこれら２つの信号の組み合わせ（例えば、論理積を取る）により、エッジ検出によるエッジ近傍のマスク領域から、微小振幅な信号のみを検出し、領域を絞り込むこととなる。また、例えば図１４に示したモスキートノイズ低減部１４Ｂ（変形例２）のように、上記エッジ検出処理および上記分散値算出処理の２つの処理を並列して行うことにより、水平方向モスキートノイズ検出部１４４Ｂにおいて、水平方向に沿った判定処理を行うようにしてもよい。このように構成した場合、エッジ近傍のばらついている信号のみを検出すると共にこれら２つの信号の組み合わせ（例えば、論理積を取る）により、エッジ検出によるエッジ近傍のマスク領域から、ばらついている信号のみを検出し、領域を絞り込むこととなる。さらに、より一般的には、上記エッジ検出処理、上記分散値算出処理および上記分散値算出処理のうちの少なくとも２つの処理を並列して行うことにより、水平方向に沿った判定処理を行うようにしてもよい。ただし、上記実施の形態では、エッジ近傍かつデータとしてばらつきがありかつ微小振幅な信号部分を検出すると共に、エッジ検出によるエッジ近傍のマスク領域から、微小振幅かつばらついている信号を取り出すようになっているため、上記のように２つの処理を並列して行うことによって水平方向に沿った判定処理を行う場合と比べ、平坦部分との検出の切り分けができるようになるため、検出の精度が向上することになる。
【００４７】
また、上記実施の形態では、例えば図１５に示したモスキートノイズ低減部１４Ｃ（変形例３）のように、上記分散値算出処理および上記差分値算出処理の２つの処理を並列して行うことにより、垂直方向に沿った判定処理を行うようにしてもよい。このように構成した場合、エッジ情報を用いずに、モスキートノイズの特徴である、平坦であるがばらついていて微小振幅な信号を抽出することとなるため、垂直方向のエッジの検出を行うことなく、上記の特徴のみを捉え検出することが可能となる。また、より一般的には、上記エッジ検出処理、上記分散値算出処理および上記分散値算出処理のうちの少なくとも２つの処理を並列して行うことにより、垂直方向に沿った判定処理を行うようにしてもよい。ただし、上記実施の形態では、水平検出で用いたエッジ検出領域以外の領域を用いて判定処理を行うため、上記のように２つの処理を並列して行うことによって垂直方向に沿った判定処理を行う場合と比べ、水平検出と垂直検出との切り分けを行うことで、水平検出への悪影響をなくすことが可能となる。
【００４８】
また、上記実施の形態では、水平方向モスキートノイズ検出部１４４および垂直方向モスキートノイズ検出部１４５において判定処理を行う場合について説明したが、例えば、図１６（Ａ）に示したモスキートノイズ低減部１４Ｄ（変形例４）や、図１６（Ｂ）に示したモスキートノイズ低減部１４Ｅ（変形例５）のように、水平方向モスキートノイズ検出部１４４および垂直方向モスキートノイズ検出部１４５のうちの一方のみを設けると共に、この一方による判定処理の結果に基づいて、モスキートノイズ低減フィルタ部１４６Ｄ，１４６Ｅにおいてノイズ低減処理を行うようにしてもよい。また、これら変形例４，５の場合においても、上記変形例１〜３のように、上記エッジ検出処理、上記分散値算出処理および上記差分値算出処理のうちの少なくとも２つの処理を並列して行うことにより、水平方向または垂直方向に沿った判定処理を行うようにしてもよい。
【００４９】
さらに、上記実施の形態では、本発明の信号処理装置の適用例として、画像処理装置としてのＴＶ装置１を挙げて説明したが、本発明の信号処理装置は、例えば図１７〜図１９に示したような他の装置にも適用することが可能である。具体的には、図１７は、本発明の一実施の形態に係る再生装置（データ記録再生装置２）の全体ブロック構成を表したものである。このデータ記録再生装置２は、例えばＤＶＤ（Digital Versatile Disc）等の記録再生媒体に対する画像データの記録および再生を行う記録再生装置であり、アンテナ１１と、チューナ１２と、ＤＶＤ等の記録媒体に記録された画像データの再生を行うデータ記録再生部２０（本発明における「再生手段」の一具体例に対応）と、ＭＰＥＧデコーダ１３Ａと、上記実施の形態で説明したモスキートノイズ低減部１４と、画像処理部１５と、ビデオ出力信号Ｖoutを出力する映像信号出力部１７とを備えている。また、図１８は、本発明の他の実施の形態に係る再生装置（データ再生装置３）の全体ブロック構成を表したものである。このデータ再生装置３は、例えばＤＶＤ等の記録媒体から画像データの再生を行う再生装置であり、ＤＶＤ等の記録媒体に記録された画像データの再生を行うデータ再生部３０（本発明における「再生手段」の一具体例に対応）と、ＭＰＥＧデコーダ１３Ａと、モスキートノイズ低減部１４と、画像処理部１５と、映像信号出力部１７とを備えている。また、図１９は、本発明の一実施の形態に係る受信装置（セットトップボックス装置４）の全体ブロック構成を表したものである。このセットトップボックス装置４は、外部から送信された画像データを受信するアンテナ１１およびチューナ１２（本発明における「受信手段」の一具体例に対応）と、ＭＰＥＧデコーダ１３Ａと、モスキートノイズ低減部１４と、映像信号出力部１７とを備えている。なお、図１７〜図１９に示したデータ記録再生装置２、データ再生装置３およびセットトップボックス装置４において、上記実施の形態で説明したモスキートノイズ低減部１４の代わりに、上記変形例１〜５に係るモスキートノイズ低減部１４Ａ〜１４Ｅを用いるようにしてもよい。
【図面の簡単な説明】
【００５０】
【図１】本発明の一実施の形態に係る画像表示装置の全体構成を表すブロック図である。
【図２】図１に示したエッジ検出部の動作を説明するための写真図である。
【図３】図１に示したエッジ検出部の動作を説明するための波形図である。
【図４】図１に示した分散値算出部の動作を説明するための写真図である。
【図５】図１に示した差分値算出部の動作を説明するための模式図である。
【図６】図１に示した水平方向モスキートノイズ検出部の動作を説明するための波形図である。
【図７】図１に示した垂直方向モスキートノイズ検出部の動作を説明するための波形図である。
【図８】図１に示したモスキートノイズ低減部による効果の一例を示す写真図である。
【図９】図１に示したモスキートノイズ低減部による効果の他の例を示す写真図である。
【図１０】図１に示したモスキートノイズ低減部による効果の他の例を示す写真図である。
【図１１】図１に示したモスキートノイズ低減部による効果の他の例を示す写真図である。
【図１２】図１に示したモスキートノイズ低減部による効果の他の例を示す写真図である。
【図１３】本発明の変形例１に係るモスキートノイズ低減部の構成を表すブロック図である。
【図１４】本発明の変形例２に係るモスキートノイズ低減部の構成を表すブロック図である。
【図１５】本発明の変形例３に係るモスキートノイズ低減部の構成を表すブロック図である。
【図１６】本発明の変形例４，５に係るモスキートノイズ低減部の構成を表すブロック図である。
【図１７】本発明の一実施の形態に係る再生装置の全体構成を表すブロック図である。
【図１８】本発明の他の実施の形態に係る再生装置の全体構成を表すブロック図である。
【図１９】本発明の一実施の形態に係る受信装置の全体構成を表すブロック図である。
【図２０】モスキートノイズの一例を示す写真図である。
【符号の説明】
【００５１】
１…ＴＶ装置、１１…アンテナ、１２…チューナ、１３…デコーダ、１３Ａ…ＭＰＥＧデコーダ、１４，１４Ａ〜１４Ｅ…モスキートノイズ低減部、１４１…エッジ検出部、１４２…分散値算出部、１４３…差分値算出部、１４４，１４４Ａ，１４４Ｂ…水平方向モスキートノイズ検出部、１４５，１４５Ｃ…垂直方向モスキートノイズ検出部、１４６，１４６Ｄ，１４６Ｅ…モスキートノイズ低減フィルタ部、１５…画像処理部、１６…表示部、１７…映像信号出力部、２…データ記録再生装置、２０…データ記録再生部、３…データ再生装置、３０…データ再生部、４…セットトップボックス装置、Ｄin，Ｄout…画像データ（輝度信号）、Ｖout…ビデオ信号、Ｐ３１〜Ｐ３５，Ｐ５１〜Ｐ５４，Ｐ６１〜Ｐ６３…画素位置、Ｘ…画素値、Ｄiff…差分値。
【図１】
2009225299.tif 000004
【図２】
2009225299.tif 000005
【図３】
2009225299.tif 000006
【図４】
2009225299.tif 000007
【図５】
2009225299.tif 000008
【図６】
2009225299.tif 000009
【図７】
2009225299.tif 000010
【図８】
2009225299.tif 000011
【図９】
2009225299.tif 000012
【図１０】
2009225299.tif 000013
【図１１】
2009225299.tif 000014
【図１２】
2009225299.tif 000015
【図１３】
2009225299.tif 000016
【図１４】
2009225299.tif 000017
【図１５】
2009225299.tif 000018
【図１６】
2009225299.tif 000019
【図１７】
2009225299.tif 000020
【図１８】
2009225299.tif 000021
【図１９】
2009225299.tif 000022
【図２０】
2009225299.tif 000023